(57)【要約】      （修正有）【課題】吐出し口に接続された吐出し口配管の内部の水を外部に容易に排水する水中ポンプ用降水弁の提供。【解決手段】出し口配管３に接続され内部に流路Ｆを有し全体的に筒状のバルブボディ５を備え、そのバルブボディ５の側部Ｂ５に前記流路Ｆと連通孔６を介して連通し内部に弁体８を収容する弁室７を備え、その弁体８の弁座９を備えた中空部１６を有する中空の弁蓋１０が設けられ、地上ＧＬに延びるロープＲと連結されたフック１２がバルブボディ５の前記側部Ｂ５に設けられ、そのフック１２の下部に前記中空部１６を通って弁体８と係合できるピン１１がフック１２と一体に設けられ、そしてフック１２を常時下方に引張る弾性部材１３を備え、前記フック１２をバルブボディ５の前記側部Ｂ５に保持する保護カバー１４が設けられている。【選択図】図６
2006077734.tif 000002
【特許請求の範囲】
【請求項１】
細長い井戸内に設置された水中ポンプの吐出し口に設けられ、その吐出し口に接続された吐出し口配管の内部の水を外部に排水するための水中ポンプ用降水弁において、一端が水中ポンプの吐出し口側に接続され他端が吐出し口配管に接続され内部に流路を有し全体的に筒状のバルブボディを備え、そのバルブボディの側部に前記流路と連通孔を介して連通し内部に弁体を収容する弁室を備え、その弁体の弁座を備えそして中空部を有する中空の弁蓋が設けられ、地上に延びるロープと連結されたフックがバルブボディの前記側部に設けられ、そのフックの下部に前記中空の弁蓋の中空部を通って弁体と係合できるピンがフックと一体に設けられ、そしてフックを常時下方に引張る弾性部材を備え、前記フックをバルブボディの前記側部に保持する保護カバーが設けられていることを特徴とする水中ポンプ用降水弁。
【請求項２】
前記弁体は弾性材による球体である請求項１の水中ポンプ用降水弁。
【請求項３】
前記バルブボディは、前記流路の上部に前記吐出し口配管と同内径の上部流路が設けられ、前記流路の下部に前記吐出し口と同内径の下部流路が設けられ、上部流路と下部流路は同心に形成され、上部流路及び下部流路の軸心に対する前記流路の軸心の偏心方向と逆方向に前記弁室が設けられている請求項１、２の何れか１項の水中ポンプ用降水弁。
【請求項４】
前記連通孔は、前記弁室の最上部から前記弁蓋の弁座面まで縦長に設けられている請求項１〜３の何れか１項の水中ポンプ用降水弁。
【請求項５】
前記水中ポンプ降水弁と水中ポンプの吐出し口との接続は回転方向に自在な位置で螺結接続する請求項１〜４の何れか１項の水中ポンプ用降水弁。
【発明の詳細な説明】
【技術分野】
【０００１】
本発明は、細長い井戸内に設置された水中ポンプの吐出し口に設けられ、その吐出し口に接続された吐出し口配管の内部の水を外部に排水するための水中ポンプ用降水弁に関するものである。
【背景技術】
【０００２】
従来の井戸用水中ポンプでは、井戸内に水中ポンプを挿入し、これに吐出し口配管を接続し地上まで伸ばして井戸水を圧送する。
このような水中ポンプを用いる給水系統では、ポンプ停止時に吐出し口配管内の水の逆流を防止するために、水中ポンプの吐出し口に逆止弁を設置する。
【０００３】
しかし、水中ポンプのメンテナンス等の目的で、水中ポンプを地上に引き上げる際、逆止弁があるために吐出し口配管内に水が充満したままとなり、その重さが過大なことから、引き上げ作業が困難となる。
また、凍結防止等の目的で、吐出し口配管内の水を排水することが必要な場合がある。
【０００４】
このため、ポンプ吐出し口の逆止弁の下流に地上からの操作により吐出し口配管内の水を管外に排水することが可能な降水弁を設けている。その従来の降水弁は、特殊なバネにより、弁体を弁座に押圧してシールする方式のものであった。
【０００５】
この方式の降水弁は、弁構造を配管に付設させる形状であって、細い井戸管に挿入されるために水中ポンプの外径と同心同筒の範囲に収まりかつ、内部の流路断面積は吐出し口径と同等が望まれることに対し、管外への突起となって、吐出し口配管の井戸内への挿入作業の妨げとなる。
また配管と弁部は単純な孔で接続され、砂等の異物の流入・滞留・蓄積により、弁体が動作不能になり易かった。
【０００６】
また、弁体は小型化のために特殊な形状にする必要があり、弁座への着座面はシール面のために加工精度を高くする必要等があって製作が困難であった。
【０００７】
本出願人はポンプ組立時に回転部分の連続的な手回しを可能にし、組立不良の防止を可能にした水中モータ用逆止弁を提案している（特許文献１）。
上記提案は、逆止弁の弁体中央部に回転体を手回しするための工具が通過可能な開口部を設けたもので、前記の各種問題点を解決してはいない。
【０００８】
その他にも従来技術は存在するが（例えば、特許文献２）、逆止弁の作用にかかるものではなく、前記した問題の解決策にはなり得ない。
【特許文献１】特願２００３−２１４３７６号公報
【特許文献２】特願２００４−１１６３３５号公報
【発明の開示】
【発明が解決しようとする課題】
【０００９】
本発明は上述した従来の問題点に鑑みて提案されたものであり、細長い井戸内に設置された水中ポンプの吐出し口に設けられ、その吐出し口に接続された吐出し口配管の内部の水を外部に容易に排水する水中ポンプ用降水弁を提供することを目的としている。
【課題を解決するための手段】
【００１０】
本発明の水中ポンプ用降水弁は、細長い井戸（Ｗ）内に設置された水中ポンプ（１）の吐出し口（２）に設けられ、その吐出し口（２）に接続された吐出し口配管（３）の内部の水を外部に排水するための水中ポンプ用降水弁（４）において、一端が水中ポンプ（１）の吐出し口（２）側に接続され他端が吐出し口配管（３）に接続され内部に流路（Ｆ）を有し全体的に筒状のバルブボディ（５）を備え、そのバルブボディ（５）の側部（Ｂ５）に前記流路（Ｆ）と連通孔（６）を介して連通し内部に弁体（８）を収容する弁室（７）を備え、その弁体（８）の弁座（９）を備えそして中空部（１６）を有する中空の弁蓋（１０）が設けられ、地上（ＧＬ）に延びるロープ（Ｒ）と連結されたフック（１２）がバルブボディ（５）の前記側部（Ｂ５）に設けられ、そのフック（１２）の下部に前記中空の弁蓋（１０）の中空部（１６）を通って弁体（８）と係合できるピン（１１）がフック（１２）と一体に設けられ、そしてフック（１２）を常時下方に引張る弾性部材（１３）を備え、前記フック（１２）をバルブボディ（５）の前記側部（Ｂ５）に保持する保護カバー（１４）が設けられている（請求項１）。
具体的実施に際して、ピン１１のフック１２への一体化は溶接接続でよく、また螺結接続でもよい。弾性部材１３はコイルばねがよい。
【００１１】
前記弁体（８）は弾性材による球体であることが好ましい（請求項２）。
具体的実施に際して、弁体はゴムボールがよい。
【００１２】
前記バルブボディ（５）は、前記流路（Ｆ）の上部に前記吐出し口配管（３）と同内径の上部流路（Ｆａ）が設けられ、前記流路（Ｆ）の下部に前記吐出し口（２）と同内径の下部流路（Ｆｂ）が設けられ、上部流路（Ｆａ）と下部流路（Ｆｂ）は同心に形成され、上部流路（Ｆａ）及び下部流路（Ｆｂ）の軸心に対する前記流路（Ｆ）の軸心の偏心方向と逆方向に前記弁室（７）が設けられていることが好ましい（請求項３）。
具体的実施に際しては、弁室７の流路Ｆへの突出方向と流路Ｆの軸心の偏心方向とを同じ方向にとればよい。
【００１３】
前記連通孔（６）は、前記弁室（７）の最上部から前記弁蓋（１０）の弁座面（９）まで縦長に設けられていることが好ましい（請求項４）。
具体的実施にあたっては、上記における連通孔６は縦長にスリット状にして連通面積を大きくして、なお、弁体８が弁室７から流路Ｆに転入しないスリット幅にすることが必要である。
【００１４】
水中ポンプ降水弁（４）と水中ポンプ（１）の吐出し口（２）との接続は回転方向に自在な位置で螺結接続できることが好ましい（請求項５）。
上記において回転方向とは吐出し口配管の軸回り回転方向を指している。具体的実施にあたっては、一旦螺結接続した後は水中ポンプの作動によって接続位置がずれないようにする必要がある。
【発明の効果】
【００１５】
本発明の効果は下記の通りである。
（ａ）  バルブボディの側部に前記流路と連通孔を介して連通し内部に弁体を有する弁室を備え、その弁体の弁座を備えた中空部を有する中空の弁蓋が設けられ、地上に延びるロープと連結されたフックがバルブボディの側部に設けられ、そのフックの下部に前記中空の弁蓋の中空部を通って弁体と係合できるピンがフックと一体に設けられているので（請求項１）、水中ポンプのメンテナンスに際し、あるいは凍結防止のために、吐出し口配管の内部の水を外部に排水するのに地上からロープを引き上げてフックのピンで弁体を弁座から浮揚させて排水することが確実、容易にできる利点がある。
【００１６】
（ｂ）  フックを常時下方に引張る弾性部材を備えているので（請求項１）、水中ポンプの運転による振動、吐出し水の脈動等によってフックのピンが弁体を浮揚させて吐出し口配管の内部の水を外部に排水させることがない利点がある。
【００１７】
（ｃ）  ピンを一体に設けたフックをバルブボディの側部に保持する保護カバーを設けているので（請求項１）、フックがバルブボディに確実に保持され、降水弁の機能が保持される利点がある。
【００１８】
（ｄ）  弁体を弾性材による球体にすれば（請求項２）、弁座も含めた加工が容易で、緻密な精度がなくても良好な弁の機密機能を得られる利点がある。また、構造が単純で組立し易い利点がある。
【００１９】
（ｅ）  バルブボディは、上部流路Ｆａ及び下部流路Ｆｂの軸心に対する前記流路Ｆの軸心の偏心方向と逆方向に前記弁室７が設けられているようにすれば（請求項３）、水中ポンプ用降水弁の吐出し配管外部への張出しが少なく井戸ポンプの井戸への挿入に邪魔にならない利点がある。
【００２０】
（ｆ）  また、上部流路及び下部流路の軸心に対する前記流路（Ｆ）の軸心を偏心させれば（請求項３）、ポンプ用降水弁の外径を吐出し口の外径及び吐出し口配管の外径と流路面積を同じにして、流路損失が生じなくなる利点がある。
【００２１】
（ｇ）  連通孔を、前記弁室の最上部から前記弁蓋の弁座面まで縦長に設ければ（請求項４）、弁室内の弁体が流路Ｆ内に転入せず、連通面積を大きくとることができる利点がある。
また、弁室内に常に水の流れができて、砂等の堆積による弁の不作動が生じることがない利点がある。
【００２２】
（ｈ）  水中ポンプ降水弁と水中ポンプの吐出し口との接続は回転方向に自在な位置で螺結接続できるようにすれば（請求項５）、水中ポンプの動力電線等の向きに合わせたフック位置とフックに連結された地上のロープの位置を任意の方向に設定できて、ロープの引上げが容易な利点がある。
【発明を実施するための最良の形態】
【００２３】
以下、添付図面を参照して、本発明の実施形態を説明する。
図１は本発明の水中ポンプ用降水弁４が設置される井戸の概念図を示している。
【００２４】
地上ＧＬから地下に向かって掘削された細長い井戸Ｗ内に、地上ＧＬから吐出し口配管３が吊下げられ、その吐出し口配管３の下端に本発明の水中ポンプ用降水弁４の吐出側が取り付けられている。
【００２５】
その水中ポンプ用降水弁４の吸入側は水中ポンプ１の上端にある吐出し口２に取り付けられている。
水中ポンプ１の下端には、井戸水の吸入口１ｓが設けられ、吸入口２の下部に水中ポンプ１を駆動するモータＭが取り付けられている。
符号ＷＬは水位を示し、水位ＷＬの下方とモータＭの下方にある符号Ｓはそれぞれストレーナを示している。
【００２６】
図２は水中ポンプ用降水弁４の斜視図を示していて、全体的に筒状に形成されたバルブボディ５の側部Ｂ５にフック１２が保護カバー１４によって、上下方向に摺動自在に保持されている。
【００２７】
図２の上面視である図３とその局部拡大図４を参照して、側部Ｂ５のやや傾斜して対称な両外側面５ｅ、５ｅの中間に、上部流路Ｆａ側に凹状の外側面５ｆが形成され、その外側面５ｆにフック１２が緩く嵌め込まれている。
【００２８】
そのフック１２を、図においては紙面に垂直な、上下動自在に外方から包むように上部が広いＴ状の保護カバー１４が配置されている。保護カバー１４の上部はバルブボディ５の上部両側面５ｄに４つの小ねじ１５によって、下部はバルブボディ５の下端５ｈに２つの小ねじ１５によって固定されている。
図３における符号Ｆａはバルブボディ５の上部の流路であり、符号５ｃは弁室７及び弁蓋１０を等を内装させるための突出部である。
【００２９】
図５は、フック１２の単体図である。
上部に水平な第１の直線部１２ａと、その両端に連結される垂直な短い第２の直線部１２ｂ、１２ｂと、第２の直線部１２ｂ、１２ｂのそれぞれの端部に連結される水平な第３の直線部１２ｃ、１２ｃと、第３の直線部１２ｃ、１２ｃのそれぞれの端部に連結される垂直な第４の直線部１２ｄ、１２ｄと、第４の直線部１２ｄ、１２ｄのそれぞれの端部を水平に連結する第４の直線部１２ｅとで大枠が形成されていて、各連結部分は小半径曲線部で連結されている。
【００３０】
そして、第４の直線部１２ｅの中央部に上方に頂部１１ａを備えて突起するピン１１が、本例では溶接によって一体に設けられている。
【００３１】
また、第４の直線部１２ｅの中央部に下方に突起する上方が開放されたＵ状の枠１２ｇが本例では溶接によって一体に設けられている。
枠１２ｇの下部には、点線で示される弾性部材１３のフック部１３ａが係合するように形成されている。
【００３２】
図６は、水中ポンプ用降水弁４の断面図を示している。
バルブボディ５は全体的に筒状に形成され、上部が吐出し口配管３と螺結接続し、下部は水中ポンプ１の吐出し口２と螺結接続されるように構成されている
【００３３】
そして、バルブボディ５の上部と吐出し口配管３との接続部近傍の上部流路Ｆａは吐出し口配管３と同心でほぼ同面積に形成され、吐出し口２との接続部近傍の下部流路Ｆｂは吐出し口２と同心でほぼ同面積に形成されている。
【００３４】
また、上部流路Ｆａと下部流路Ｆｂとは同心に形成されていて、上部流路Ｆａと下部流路Ｆｂとの間を、図４においては心が左方に偏心した流路Ｆによって連結されている。
【００３５】
上記の流路Ｆの偏心方向と逆方向に側部Ｂ５があって、側部Ｂ５の流路Ｆ側に突起５ｃが形成されている。
【００３６】
突起５ｃは、側部Ｂ５とともに降水弁の機能を格納する弁室７及び空間部５ｓを形成している。その空間部５ｓの外側方Ｘ矢視図が図８である。
【００３７】
図８において、符号７は弁室であり、符号７ｓは後記する弁蓋１０が螺結して収納される内ねじを設けられた中空の領域である。符号１８は弾性部材であるコイルばね１３の一端を固定するピンである。
【００３８】
図６の局部Ａを示す図７も参照して降水弁の構成を説明する。
流路Ｆの側部Ｂ５の上部に円柱空洞状の弁室７が形成され、弁室７内に弁体である弾性材で形成されたゴムボール８が格納されている。
【００３９】
弁室７の下方に中空部１６を有する円筒状の弁蓋１０が外ねじで側部Ｂ５に螺結されている。中空部１６の上部にゴムボール８の着座部である弁座９が上方に開の形状で形成されている。
【００４０】
弁室７と流路Ｆとは、連通孔である縦長のスリット６を介して連通されている（図３参照）。スリット６は弁室７の上端から弁座９の近傍まで上下方向に、そしてゴムボール８が流路Ｆに転入しない幅長で形成されている。
【００４１】
弁蓋１０の中空部１６は、４角あるいは６角孔で孔の下部が角レンチ嵌め込み可能に形成され、かつ前記フック１２のピン１１が通過可能に形成されている。
【００４２】
空間部５ｓの下部に水平に小板１８の内端が突起５ｃの内壁に嵌め込みされ、外端は保護カバー１４の内側の水平溝１４ａに嵌め込まれるよう設けられている。
【００４３】
小板１８の上部に常時下方に引張るコイルばね１３の下端が止め孔１８ａに係止され（図８参照）、コイルばね１３の上端にあるフック部１３ａが前記フック１２のＵ状の枠１２ｇに吊下げて係止されている。
【００４４】
そして、コイルばね１３によってフック１２のピン１１の上端部が中空部１６内に収納されて配置され、ピン１１の頂部１１ａがゴムボール８との間に適宜の隙間を設けるように設置されている。
【００４５】
フック１２の上部の第１の直線部１２ａには地上ＧＬに延びるロープＲが連結されていて、ロープＲの所定の引上げストロークによってピン１１の頂部１１ａがゴムボール８を下方から押上げて開弁するようになっている。
【００４６】
なお、バルブボディ５の中央部を横切る線Ｐは加工組立に必要な分割線であって、弁室７の加工、スリット６の加工、内ねじを設けられた領域７ｓの加工及び弁蓋１０の領域７ｓへの螺結のためのものである。組立完了後は例えば螺結接続あるいは溶接接続で一体にするよう構成されている。しかしながら上下一体に作ってもよい。
【００４７】
上記構成の水中ポンプ用降水弁４によって、水中ポンプ１の吐出し時にはゴムボールは吐出し水圧によって、弁座９に着座して逆止弁の作用を果たす。
【００４８】
そして、吐出し口配管３内の内部の水を井戸Ｗ内に排水する必要がある場合には、地上ＧＬからロープＲによってフック１２を引上げてピン１１でゴムボール８を押上げて開弁し、吐出し口配管３内の内部の水をスリット６を介して弁室７に到り、中空部１６、空間部５ｓを経て井戸Ｗ内に排水することができる。
【００４９】
したがって、水中ポンプ１のメンテナンス時や吐出し口配管３内の内部の水の凍結防止のための排水ができる。また、水中ポンプ１の運転時には弁室７内の水がスリット６を介して常時脈動され、停滞によるごみの堆積を防いでいる。
【図面の簡単な説明】
【００５０】
【図１】本発明の水中ポンプ用降水弁の深井戸への設置例を示す図。
【図２】本発明の水中ポンプ用降水弁の斜視全体図。
【図３】図３の上方視図。
【図４】図３の局部拡大図。
【図５】フックの単体図。
【図６】バルブボディの側断面図。
【図７】図６のＡ部詳細図。
【図８】図６のＸ矢視図。
【符号の説明】
【００５１】
Ｆ・・・流路、中央部流路
Ｆａ・・上部流路
Ｆｂ・・下部流路
１・・・水中ポンプ
２・・・吐出し口
３・・・吐出し口配管
４・・・水中ポンプ用降水弁
５・・・バルブボディ
５ｃ・・突出部
５ｓ・・空間部
６・・・連通孔、スリット
７・・・弁室
８・・・弁体、ゴムボール
９・・・弁座
１０・・弁蓋
１１・・ピン
１２・・フック
１３・・弾性部材、コイルばね
１４・・保護カバー
１６・・中空部
【図１】
2006077734.tif 000003
【図２】
2006077734.tif 000004
【図３】
2006077734.tif 000005
【図４】
2006077734.tif 000006
【図５】
2006077734.tif 000007
【図６】
2006077734.tif 000008
【図７】
2006077734.tif 000009
【図８】
2006077734.tif 000010